(57)【要約】【課題】            落下衝撃等により対物レンズ駆動部へ与えるダメージの緩和と、対物レンズ表面への塵埃の付着防止とを同時に、かつ部品を追加すること無くしかも信頼性高く実現できる光ディスク駆動装置を提供する。【解決手段】        光ピックアップ２の退避位置において、規制部材２０によりレンズホルダー１３の移動可能範囲を動作状態における所定の可動範囲より少なくなるように位置規制することで落下衝撃時のダメージを緩和し、レンズホルダー１３のリング部１３ａの天面１３ｂを規制部材２０の密閉部２０ａに密接し対物レンズ１２の表面を密閉することで対物レンズ１２への塵埃の付着を防止する。【選択図】  図８
2005141867.tif 000002
【特許請求の範囲】
【請求項１】
光ピックアップを動作位置と退避位置とにわたって光ディスクの内外周方向に往復動作させるとともに、光ピックアップの対物レンズおよびレンズホルダーをトラッキング方向、フォーカス方向に駆動する対物レンズ駆動手段を設け、光ピックアップの退避位置に対物レンズ駆動手段の非動作状態で前記対物レンズの一部もしくはレンズホルダーと当接する規制部材を設けたことを特徴とする光ディスク駆動装置。
【請求項２】
規制部材が対物レンズの外周部もしくはその近傍のレンズホルダー上に形成したリング部の天面全周に当接して対物レンズの表面を覆う形状をなし、前記リング部外周壁を包囲して位置規制を行う規制部を有することを特徴とする請求項１に記載の光ディスク駆動装置。
【発明の詳細な説明】
【技術分野】
【０００１】
本発明は、光ディスク駆動装置に関し、対物レンズを有する光ピックアップにて光ディスクからの情報の読み込み、および光ディスクへの情報の書き込みを行う技術に係るものである。
【背景技術】
【０００２】
この種の一般的な光ディスク駆動装置は、レーザ光を光ディスク上に収束させる対物レンズを搭載した光ピックアップを有しており、光ピックアップを光ディスクの内外周方向に往復動作させることにより光ディスクから情報を読み込み、および光ディスクへの情報を書き込むことを行っている。
【０００３】
この対物レンズはレンズホルダーに保持されて、光ディスク上の所定の位置にレーザ光の焦点を合わせるために光ディスクの厚み方向すなわちフォーカス方向、および内外周方向すなわちトラッキング方向へ移動自在に、例えば弾性ワイヤ等で支持されており、安定した読み取り、書き込み特性を確保するためにそれぞれの方向に所定の移動範囲を有している。
【０００４】
また、前記対物レンズおよびレンズホルダーは微小電流で感度良く移動することが必要であるため、前記弾性ワイヤの支持力を極力低く設定するのが一般的である。そのため、例えば装置の輸送中に落下等による衝撃力を受けた際に、前記レンズやレンズホルダーが他部材と衝突することによりそれを支持している弾性ワイヤが伸縮、捩れ等のダメージを受けて塑性変形することがあり、その結果前記対物レンズに位置ズレや角度ズレが発生して満足した特性を得られない場合が生じている。
【０００５】
このような課題に対する従来の対応例として、例えば特許文献１（特開平０７−３１１９６６号）、特許文献２（特開２０００−１４９２９４号）および特許文献３（特開２００１−９３１７３号）に記載されたものが知られている。
【０００６】
また、前記対物レンズは前述したように光ディスクの情報記録面に対向して露出された状態であるため、表面に塵埃が付着し易い状態にある。そのため、対物レンズに塵埃が付着した際、レーザからの出射光量および光ディスクからの反射光量が減少し、満足した特性が得られない場合が生じている。
【０００７】
このような課題に対する従来の対応例として、例えば特許文献４（特開平０３−２５６２３３号）、特許文献５（特開平０４−１９２１６９号）、特許文献６（特開平０４−２３８１８７号）、特許文献７（特開平０５−１７４４１１号）および特許文献８（特開２００２−２９８４１１号）に記載されたものが知られている。
【特許文献１】特開平０７−３１１９６６号
【特許文献２】特開２０００−１４９２９４号
【特許文献３】特開２００１−９３１７３号
【特許文献４】特開平０３−２５６２３３号
【特許文献５】特開平０４−１９２１６９号
【特許文献６】特開平０４−２３８１８７号
【特許文献７】特開平０５−１７４４１１号
【特許文献８】特開２００２−２９８４１１号
【発明の開示】
【発明が解決しようとする課題】
【０００８】
しかしながら前述した弾性ワイヤの変形防止に対応するための従来の構成では、いずれのものにおいてもレンズやレンズホルダーは所定の移動範囲内では移動自在であり、所定の移動範囲外に移動する際にのみ効果を発揮するものであって、衝突時の衝撃力を減ずる一番大きな要因となるレンズやレンズホルダーの移動範囲を規制するものでは無い。従って、輸送中の落下等による弾性ワイヤの変形防止対策としては不充分であった。
【０００９】
また、同じく前述した対物レンズへの塵埃付着防止に対応するための従来の構成では、装置構造の複雑化、大型化、部品点数増加、光ピックアップ移動負荷の増大、防塵対策が不充分等、それぞれの構成において様々な欠点を有していた。
【００１０】
本発明は上記従来の問題点に鑑み、落下衝撃等により対物レンズ駆動部へ与えるダメージの緩和と、対物レンズ表面への塵埃の付着防止とを同時に、かつ部品を追加すること無くしかも信頼性高く実現できる光ディスク駆動装置を提供することを目的とする。
【課題を解決するための手段】
【００１１】
上記課題を解決するために本発明の光ディスク駆動装置は、対物レンズおよびレンズホルダーを有する光ピックアップを動作位置と退避位置とにわたって光ディスクの内外周方向に往復動作させるとともに、対物レンズおよびレンズホルダーをトラッキング方向、フォーカス方向に駆動する対物レンズ駆動手段を設け、光ピックアップが動作位置から退避位置へ移動する間、もしくは退避位置から動作位置へ移動する間に、対物レンズをディスク信号記録面から遠ざける方向へ移動させるように対物レンズ駆動手段を作動させ、光ピックアップを退避位置に待機させた対物レンズ駆動手段の非動作状態で前記対物レンズの一部もしくはレンズホルダーと当接する規制部材を設け、フォーカス方向、トラッキング方向を含むディスク信号記録面と平行な全方向において前記対物レンズの移動可能範囲が動作状態における所定量の移動可能範囲より少なくなるように前記規制部材で前記対物レンズの位置規制を行うものであり、対物レンズ駆動手段の作動状態では対物レンズを対物レンズ駆動手段の非作動状態での中立位置よりもフォーカス方向でディスク信号記録面から遠ざける方向へ移動させることで、対物レンズやレンズホルダーを規制部材と衝突することなく移動させ、退避位置における対物レンズ駆動手段の非作動状態では対物レンズおよびレンズホルダーが中立位置へ復帰動作し、対物レンズの一部もしくはレンズホルダーが規制部材と係合することで、対物レンズやレンズホルダーの移動可能範囲を極端に減じて衝撃力を減少させる。
【００１２】
さらに規制部材は、対物レンズ駆動手段の非作動時に対物レンズやレンズホルダーが中立位置へ復帰動作する復帰力によって、対物レンズの外周部もしくはその近傍のレンズホルダー上に形成したリング部の天面全周に当接して密着することで対物レンズの表面を覆い、レンズ表面を密閉する状態で規制部材上に設けた規制部で前記リング部外周壁を包囲して位置規制を行うものであり、リング部の天面と規制部材との当接位置を対物レンズやレンズホルダーが中立位置へ到達する手前になるように規制部材を配置する。
【発明の効果】
【００１３】
以上のように本発明の光ディスク駆動装置によれば、落下衝撃等による対物レンズ駆動部へのダメージ緩和と対物レンズ表面への塵埃の付着防止を同時に、部品を追加すること無く、しかも信頼性高く実現することが可能で、安定した光ディスク読み取り、書き込み特性を確保することができる。
【発明を実施するための最良の形態】
【００１４】
本発明の請求項１に記載の光ディスク駆動装置は、光ピックアップを動作位置と退避位置とにわたって光ディスクの内外周方向に往復動作させるとともに、光ピックアップの対物レンズおよびレンズホルダーをトラッキング方向、フォーカス方向に駆動する対物レンズ駆動手段を設け、光ピックアップの退避位置に対物レンズ駆動手段の非動作状態で前記対物レンズの一部もしくはレンズホルダーと当接する規制部材を設けたものである。
【００１５】
上記した構成により、光ピックアップが動作位置から退避位置へ移動する間、もしくは退避位置から動作位置へ移動する間は対物レンズ駆動手段が作動して、対物レンズが対物レンズ駆動手段の非作動状態時の中立位置よりもフォーカス方向にディスク信号記録面から遠ざかる方向へ移動し、対物レンズやレンズホルダーは衝突することなく規制部材を通過する。
【００１６】
一方、光ピックアップの退避位置では、対物レンズ駆動手段を非作動状態とすることで対物レンズおよびレンズホルダーが中立位置へ復帰動作し、対物レンズの一部もしくはレンズホルダーが規制部材と係合する。
【００１７】
この係合状態で対物レンズの移動可能範囲は、トラッキング方向を含めた光ディスクのディスク信号記録面と平行な全方向およびフォーカス方向において動作状態における所定の移動範囲より少なくなるよう規制部材によって位置規制される。
【００１８】
従って、例えば光ディスク駆動装置の輸送中に落下等による衝撃力を受けた際に対物レンズもしくはレンズホルダーは規制部材と衝突しても、その移動可能範囲を極端に減じていることにより衝撃力が減少する。その結果、対物レンズ駆動手段へ加わるダメージも少なく、またレンズホルダーを支持している弾性ワイヤの変形による対物レンズの位置ズレや角度ズレも生じることも無く、安定した特性が得られる。
【００１９】
また、本発明の請求項２に記載の光ディスク駆動装置は、規制部材が対物レンズの外周部もしくはその近傍のレンズホルダー上に形成したリング部の天面全周に当接して対物レンズの表面を覆う形状をなし、前記リング部外周壁を包囲して位置規制を行う規制部を有するものである。
【００２０】
上記した構成により、光ピックアップの退避位置において対物レンズ駆動手段を非作動状態として対物レンズを中立位置へ復帰させる際に、その復帰途中において対物レンズの外周部もしくはその近傍のレンズホルダー上に形成したリング部の天面全周が規制部材の対物レンズの表面を覆う面と当接する。
【００２１】
この規制部材とリング部の天面との当接位置が対物レンズおよびレンズホルダーが中立位置へ到達する手前になるよう規制部材を配置することで、中立位置への復帰力、例えば弾性ワイヤの弾性力によりリング部の天面全周を規制部材に押圧して密着させる。
【００２２】
この規制部材とリング部の密着によって対物レンズ表面を規制部材で密閉するとともに、対物レンズのフォーカス方向への移動範囲を動作時における所定の移動範囲より少なくなるよう規制する。
【００２３】
また、規制部材上に設けた規制部がリング部外周壁を包囲して対物レンズの位置規制を行うことによって、対物レンズのトラッキング方向を含めた光ディスク信号記録面と平行な全方向への移動可能範囲を動作時における所定の移動可能範囲より少なくなるよう規制する。
【００２４】
従って、請求項１に記載した衝撃力の緩和作用に加えて対物レンズ表面を密閉することで塵埃の付着を防止できるため、レーザからの出射光量および光ディスクからの反射光量の減少も無く、安定した特性が得られる。
【００２５】
以下本発明の実施の形態について、図面を参照しながら詳細に説明する。図１〜図８は本発明の実施の形態における光ディスク駆動装置を示す図であり、図１は光ピックアップが光ディスク最内周リードインエリアに位置する状態を示す平面図、図２はその状態における対物レンズ駆動装置の対物レンズおよびレンズホルダーの位置状態を示すＸ−Ｘ部分断面図、図３は光ピックアップが光ディスク最外周リードアウトエリアに位置する状態を示す平面図、図４〜５は同じくその状態におけるＸ−Ｘ部分断面図、図６は光ピックアップが光ディスク情報エリアから外れた退避位置に位置する状態を示す平面図、図７〜図８は同じくその状態におけるＸ−Ｘ部分断面図である。
【００２６】
以下に、対物レンズ駆動手段が担う機能のうち、光ピックアップ２を光ディスク１１の内外周方向に駆動するための構成を説明する。
図１、３、６に示すように、メカシャーシ１には光ピックアップ２を光ディスク１１の内外周方向に駆動するために駆動シャフト３を設けており、駆動シャフト３は光ピックアップ２の軸受け部２ａ、２ｂを貫通して配置し、一端３ａをメカシャーシ１に設けた軸受け孔１ａで回転自在に保持し、他端３ｂに駆動ギヤ４を圧入保持している。駆動ギヤ４は一側に形態した軸部４ａをメカシャーシ１に設けた軸受け部１ｂに回転自在に保持されている。
【００２７】
光ピックアップ２は一側に形成したガイド部２ｃがメカシャーシ１に設けた副軸１ｃと係合し、メカシャーシ１の上で矢印ＡＢ方向へ摺動（往復移動）可能である。スラストばね５はメカシャーシ１に設けた固定部１ｄに圧入保持され、駆動ギヤ４の先端部４ｂおよび軸部４ａと当接し、駆動ギヤ４を介して駆動シャフト３を矢印Ａ方向および矢印Ｄ方向へ押圧している。
【００２８】
ナット板６は光ピックアップ２に固定され、ナット板６に形成した突起部６ａが駆動シャフト３のウォーム部３ｃと係合しており、駆動シャフト３の回転によりナット板６が駆動シャフト３の軸心方向に移動する。
【００２９】
トラバースモータ７はメカシャーシ１に固定され、その回転軸７ａにモータギヤ８を圧入保持している。モータギヤ８は駆動ギヤ４と噛合しており、トラバースモータ７の回転力をモータギヤ８および駆動ギヤ４を介して駆動シャフト３に伝達する。スピンドルモータ９はメカシャーシ１に固定され、その回転軸９ａに光ディスク１１を載置するターンテーブル１０を圧入保持している。
【００３０】
以下に、対物レンズ駆動手段が担う機能のうち、光ピックアップ２に配置した対物レンズ１２およびレンズホルダー１３をトラッキング方向、フォーカス方向に駆動するための構成、および対物レンズ１２、レンズホルダー１３の移動可能範囲を規制する構成を説明する。
【００３１】
図２、４、５、７、８に示すように、レンズホルダー１３は対物レンズ１２を固定保持し、対物レンズ１２の外周付近にリング部１３ａを有しており、リング部１３ａの天面１３ｂは対物レンズ１２の天頂よりも高い位置に設定している。
【００３２】
サスペンションワイヤ１４は一端がサスペンションワイヤ固定部１５に固定され、他端がレンズホルダー１３を光ディスク１１のフォーカス方向（矢印Ｌ方向）、トラッキング方向（矢印Ｍ方向）の可動範囲内で移動可能に支持している。
【００３３】
図１、３、６に示すように、フォーカスコイル１６は側面にトラッキングコイル１７を保持した状態でレンズホルダー１３内に固定され、マグネット１８はフォーカスコイル１６の一部とトラッキングコイル１７を挟むような位置に配置されており、制御回路からの指令を受けてフォーカスコイル１６およびトラッキングコイル１７へ所定の電流が供給されると、それに応じて光ディスク１１に対しての対物レンズ１２のフォーカス方向（矢印Ｌ方向）、トラッキング方向（矢印Ｍ方向）の位置制御が精度良くなされる。
【００３４】
アクチュエータベース１９はサスペンションワイヤ固定部１５とマグネット１８を保持し、光ピックアップ２に固定されている。
規制部材２０はメカシャーシ１に一体的に形成されて密閉部２０ａと規制部２０ｂを有しており、密閉部２０ａは光ピックアップ２が図６に示す退避位置にある際に対物レンズ１２の表面を覆うとともにレンズホルダー１３のリング部１３ａの天面全周と当接してフォーカス方向の位置規制を行い、規制部２０ｂはリング部１３ａの外周壁を包囲してトラッキング方向を含めた光ディスク１１のディスク信号記録面と平行な全方向の位置規制を行う。
【００３５】
以上のように構成した光ディスク駆動装置において、以下その動作を説明する。トラバースモータ７を時計方向もしくは反時計方向へ回転させると、その回転力が駆動ギヤ４を介して駆動シャフト３に伝達され、駆動シャフト３の回転によりナット板６が駆動シャフト３の軸心方向に移動し、光ピックアップ２が矢印Ａ方向もしくは矢印Ｂ方向すなわち光ディスク１１の内外周方向（ラジアル方向）へ移動し、光ディスク駆動装置の動作状態では図１、図２に示す最内周位置と、図３、図４に示す最外周位置との間を移動し、光ディスク駆動装置の非動作状態では図６に示す退避位置へ移動する。
【００３６】
またスピンドルモータ９を一定方向に回転させるとターンテーブル１０に載置された光ディスク１１も一体となって回転する。以上のようにして光ディスク１１の回転と光ピックアップ２の移動を行う。尚、光ディスク１１をターンテーブル１０に載置してスピンドルモータ９を回転させた際、光ディスク１１とターンテーブル１０間でスリップが生じないよう保持するためにマグネット等の吸着作用を利用している。(クランプ方法は省略する)
光ディスク１１からの情報読み込みおよび光ディスク１１への情報書き込みを行う際には、スピンドルモータ９により光ディスク１１を所定の回転数で回転させるとともに、トラバースモータ７により光ピックアップ２を図１、図２の最内周位置と図３、図４の最外周位置間における所定の動作位置に移動させ、制御回路からの指令により光ディスク１１に対しての対物レンズ１２の位置制御を行うことで動作状態となる。
【００３７】
この動作状態から最外周リードアウトエリアのディスク終端情報を検知した際や、記録再生停止命令を受けた際には、光ディスク１１の回転を停止させるとともに、図５に示すように、光ピックアップ２を最外周リードアウトエリアに移動させ、フォーカスコイル１６に所定の電流を供給してレンズホルダー１３をフォーカス方向で駆動し、矢印Ｄ方向すなわち光ディスク１１のディスク信号記録面から遠ざける方向で可動範囲Ｌの最大位置まで移動させる。
【００３８】
その後、図６に示すように、光ピックアップ２を退避位置方向へ移動させる。このとき図５に示すように、レンズホルダー１３は矢印Ｄ方向で可動範囲Ｌの最大位置に移動させた状態に保持されているので、退避位置への移動途中でレンズホルダー１３のリング部１３ａと規制部材２０が衝突することが無い。
【００３９】
光ピックアップ２が退避位置に到達した時点でトラバースモータ７の駆動を停止させるとともにフォーカスコイル１６への電流供給を停止させる。（光ピックアップ２の退避位置の検知方法については、スイッチやフォトセンサーによる検知、トラバースモータ駆動電流変化による検知等、多くの手段があるが詳細説明は省略する）
その結果、レンズホルダー１３は、図７に示すように、サスペンションワイヤ１４の復帰力を受けて、通電時（動作状態）の所定位置から矢印Ｃ方向すなわち非通電時（非動作状態）の中立位置方向へ移動するが、その復帰途中で、図８に示すように、リング部１３ａの天面１３ｂが規制部材２０の密閉部２０ａと当接する。
【００４０】
この際、リング部１３ａの天面１３ｂと規制部材２０の密閉部２０ａとの当接位置がレンズホルダー１３の中立位置よりレンズホルダー１３の移動方向で手前になるように密閉部２０ａを配置しているので、サスペンションワイヤ１４は変形した状態で位置規制され、弾性力が発生する状態となる。
【００４１】
この復帰力（弾性力）によりリング部１３ａの天面１３ｂが規制部材２０の密閉部２０ａを押圧し、天面１３ｂの全周を密閉部２０ａと密着させることで対物レンズ１２の表面を密閉して塵埃の付着を防止することが可能となる。従ってレーザからの出射光量および光ディスク１１からの反射光量の減少も無く、安定した特性が得られる。
【００４２】
また、前記当接位置をレンズホルダー１３の中立位置よりレンズホルダー１３の移動方向で手前になるように密閉部２０ａを配置しているため、レンズホルダー１３のフォーカス方向への移動可能範囲は動作状態における移動可能範囲（可動範囲Ｌ）の半分以下になるとともに、当接時には規制部材２０の規制部２０ｂがリング部１３の外周壁１３ｃを包囲し、レンズホルダー１３のトラッキング方向を含めた光ディスク１１のディスク信号記録面と平行な全方向への移動可能範囲を動作状態における移動可能範囲（可動範囲Ｍ）より極端に小さくなるよう規制する。
【００４３】
従って、例えば輸送中で落下等によって光ディスク駆動装置が衝撃力を受けた際に、レンズホルダー１３が規制部材２０と衝突しても、その移動可能範囲を極端に減じていることにより衝撃力が減少し、その結果対物レンズ駆動部へ加わるダメージも少ないものとなり、またレンズホルダー１３を支持しているサスペンションワイヤ１４の変形による対物レンズ１２の位置ズレや角度ズレも生じることが無く、安定した特性が得られる。
【００４４】
退避状態から動作状態への移行は上記と逆の動作を行う。すなわち図６、図８に示す光ピックアップ２の退避状態において、レンズホルダー１３を矢印Ｄ方向すなわち光ディスク１１のディスク信号記録面から遠ざける方向で可動範囲Ｌの最大位置まで移動させるようフォーカスコイル１６に所定の電流を供給する。
【００４５】
その結果、リング部１３ａの天面１３ｂと規制部材２０の密閉部２０ａの当接が解除されて図７に示す状態となる。その後に光ピックアップ２を図１の最内周位置と図３の最外周位置の間の動作位置方向へ移動させる。このとき、レンズホルダー１３は上記矢印Ｄ方向に移動させた状態で保持されているため、移動途中でレンズホルダー１３のリング部１３ａと規制部材２０の規制部２０ｂが衝突することは無い。
【００４６】
光ピックアップ２が図１、図２の光ディスク最内周リードインエリアに到達した時点でトラバースモータ７の駆動を停止させ、スピンドルモータ９により光ディスク１１を所定の回転数で回転させるとともに、制御回路からの指令により光ディスク１１に対しての対物レンズ１２の位置制御を行うことで動作可能状態となる。
【００４７】
尚、本実施形態では規制部材２０との当接部（リング部）をレンズホルダー１３に形成したが、これを対物レンズ１２に一体形成してもよい。
以上説明したように、本実施の形態ではレンズホルダー１３と規制部材２０を係合させる手段として、一般的に光ピックアップ２に標準装備されている対物レンズ駆動手段の作用を利用しているため、専用の部品や制御回路が不要でかつ信頼性の高い動作を実現することができる。
【産業上の利用可能性】
【００４８】
本発明は、落下衝撃等による対物レンズ駆動部へのダメージ緩和と対物レンズ表面への塵埃の付着防止を同時に、部品を追加すること無く、しかも信頼性高く実現することが可能で、安定した光ディスク読み取り、書き込み特性を確保することができるので、対物レンズを有する光ピックアップにて光ディスクからの情報の読み込み、および光ディスクへの情報の書き込みを行う光ディスク駆動装置に利用できる。
【図面の簡単な説明】
【００４９】
【図１】本発明の一実施形態において光ピックアップが光ディスク最内周リードインエリアに位置する状態を示す平面図
【図２】図１の状態における対物レンズ駆動装置の対物レンズおよびレンズホルダーの位置状態を示すＸ−Ｘ部分断面図
【図３】同実施形態において光ピックアップが光ディスク最外周リードアウトエリアに位置する状態を示す平面図
【図４】図３の状態における対物レンズ駆動装置の対物レンズおよびレンズホルダーの位置状態を示すＸ−Ｘ部分断面図
【図５】図３の状態における対物レンズ駆動装置の対物レンズおよびレンズホルダーの位置状態を示すＸ−Ｘ部分断面図
【図６】同実施形態において光ピックアップが光ディスク情報エリアから外れた退避位置に位置する状態を示す平面図
【図７】図６の状態における対物レンズ駆動装置の対物レンズおよびレンズホルダーの位置状態を示すＸ−Ｘ部分断面図
【図８】図６の状態における対物レンズ駆動装置の対物レンズおよびレンズホルダーの位置状態を示すＸ−Ｘ部分断面図
【符号の説明】
【００５０】
１    メカシャーシ
２    光ピックアップ
３    駆動シャフト
４    駆動ギヤ
５    スラストばね
６    ナット板
７    トラバースモータ
８    モータギヤ
９    スピンドルモータ
１０    ターンテーブル
１１    光ディスク
１２    対物レンズ
１３    レンズホルダー
１３ａ  リング部
１３ｂ  天面
１３ｃ  外周壁
１４    サスペンションワイヤ
１５    サスペンションワイヤ固定部
１６    フォーカスコイル
１７    トラッキングコイル
１８    マグネット
１９    アクチュエータベース
２０    規制部材
２０ａ  密閉部
２０ｂ  規制部
【図１】
2005141867.tif 000003
【図２】
2005141867.tif 000004
【図３】
2005141867.tif 000005
【図４】
2005141867.tif 000006
【図５】
2005141867.tif 000007
【図６】
2005141867.tif 000008
【図７】
2005141867.tif 000009
【図８】
2005141867.tif 000010